(57)【要約】【課題】遊技盤上の遊技領域を圧迫せずに良好に遊技球を入賞動作させる入賞装置を設置して、パチンコ遊技の遊技性を向上させることができるパチンコ遊技機を提供する。【解決手段】パチンコ遊技機は、遊技盤１上の遊技領域３内の略中央に配置され、図柄を変動表示する図柄変動表示装置４と、図柄変動表示装置４の変動図柄が予め決められた図柄に揃って停止したときに発生する大当りを確定するために、遊技領域３内に配置される入賞装置２０と、入賞装置２０内の特定入賞口に遊技球が入賞して大当りが確定したとき、多数の遊技球の入賞を可能とするように動作する電動入賞装置７と、を備えている。入賞装置２０は縦に細長く形成されると共に、遊技領域３内の左側または右側の端部に沿って配設され、入賞装置２０内には遊技球を停留させ複数の停留部が階段状に配設されている。【選択図】図１
2005065926.tif 000002
【特許請求の範囲】
【請求項１】
遊技盤上の遊技領域に配置され、図柄を変動表示する図柄変動表示装置と、該図柄変動表示装置の変動図柄が予め決められた図柄に揃って停止したときに開放される入賞装置と、を備えたパチンコ遊技機において、
前記入賞装置は縦に細長く形成されると共に、遊技領域内の左側または右側の端部に沿って配設され、該入賞装置内には遊技球を停留させる複数の停留部が階段状に配設されたことを特徴とするパチンコ遊技機。
【請求項２】
遊技盤上の遊技領域に配置され、図柄を変動表示する図柄変動表示装置と、該図柄変動表示装置の変動図柄が予め決められた図柄に揃って停止したときに開放される入賞装置と、を備えたパチンコ遊技機において、
前記入賞装置は縦に細長く形成されると共に、遊技領域内の左側または右側の端部に沿って配設され、該入賞装置内には遊技球を停留させる停留部を含む複数の入賞室が階段状に配設されたことを特徴とするパチンコ遊技機。
【請求項３】
前記入賞装置内には特定入賞口用停留部が設けられ、該特定入賞口停留部に遊技球が入って停留した後、前記特定入賞口に入賞することを特徴とする請求項１または２記載のパチンコ遊技機。
【請求項４】
前記入賞装置には停留用ストッパが設けられ、該入賞装置の入賞口の電動羽根が開放状態のとき、該停留用ストッパが作動して遊技球の停留を可能とし、該電動羽根が閉じたとき、該停留用ストッパが非停留状態となって、該停留部の遊技球を排出させ或いは前記特定入賞口に入賞させることを特徴とする請求項３記載のパチンコ遊技機。
【請求項５】
前記遊技領域の側部を装飾するための装飾用ランプが前記入賞装置と一体に設けられたことを特徴とする請求項１記載のパチンコ遊技機。
【請求項６】
遊技球を停留させる停留部を有したパチンコ遊技機用の入賞装置において、
上部に電動羽根を設けた入賞口が形成され、装置内部に複数の停留部が階段状に配設され、該階段状の停留部の上方に遊技球を振分ける振分け通路が設けられ、該複数の停留部には最下段の停留部として特定入賞口用停留部が設けられ、該特定入賞口停留部の下方に特定入賞口が設けられたことを特徴とする入賞装置。
【請求項７】
遊技球を停留させる停留部を有したパチンコ遊技機用の入賞装置において、
上部に電動羽根を設けた入賞口が形成され、装置内部に停留部を含む複数の入賞室が階段状に配設され、該階段状の入賞室の上方に遊技球を振分ける振分け通路が設けられ、該複数の入賞室には停留部として特定入賞口用の特定入賞口停留部が設けられ、該特定入賞口停留部の下方または後方に特定入賞口が設けられたことを特徴とする入賞装置。
【請求項８】
前記停留部には停留用ストッパが設けられ、前記入賞口の電動羽根が開放状態のとき、該停留用ストッパが作動して遊技球の停留を可能とし、該電動羽根が閉じたとき、該停留用ストッパが非停留状態となって、該停留部の遊技球を排出させ或いは前記特定入賞口に入賞させることを特徴とする請求項６または７記載の入賞装置。
【発明の詳細な説明】
【技術分野】
【０００１】
本発明は、遊技球を停留させる停留部を設けた入賞装置を有するパチンコ遊技機及びその入賞装置に関する。
【背景技術】
【０００２】
従来、３種のパチンコ遊技機として、大当り権利発生用の入賞装置を備えたパチンコ遊技機が、下記特許文献１などで知られている。この種のパチンコ遊技機は、遊技球が始動入賞口に入賞すると、図柄変動表示装置の図柄が変動表示され、その図柄が例えば予め決められた「７７７」などの図柄に揃って停止した場合、特定入賞口の開閉扉が開放され、特定入賞口に入った遊技球が特定入賞口内に設けられた権利確定用入賞口に入賞した場合、所謂大当りの権利が確定する。そして、遊技球が権利確定用入賞口に入賞して大当りの権利が確定すると、電動入賞装置が作動し、電動入賞装置の回転チャッカーに遊技球が入った後、回転チャッカーの回転によって遊技球がその下方の特別入賞口に誘導されて入賞する。そして、この遊技球の特別入賞口への入賞により、電動チューリップの羽根が開放され、多くの遊技球の入賞を可能とするものである。
【０００３】
しかし、この種の３種パチンコ遊技機の特定入賞口に使用される入賞装置は、遊技規則により、権利確定用入賞口への入賞確率が概ね１／３の確率となるように形成する必要があり、さらに、１個目、２個目の遊技球が到来した場合には権利確定用入賞口には入賞せず、３個目の遊技球が到来した場合に、必ず権利確定用入賞口に入賞する入賞装置が使用されていたが、この種の入賞装置を使用したパチンコ遊技機では、遊技者の射幸心の観点から入賞確率をそれ未満に下げる必要があった。
【０００４】
そこで、従来のパチンコ遊技機においては、特定入賞口の入賞装置として、例えば、遊技盤の下部に横長で大形の入賞装置を装着した構造のものが開発され、下記特許文献２などで知られている。
【特許文献１】特開平９−２８５６３１号公報
【特許文献２】特開平９−１０３９２号公報
【発明の開示】
【発明が解決しようとする課題】
【０００５】
しかし、近年のパチンコ遊技機では、遊技盤の中央に大形の図柄変動表示装置が配置される傾向にあるため、その下部にさらに大形の特定入賞装置を配置した場合、遊技球が転動する遊技領域が狭められ、パチンコ遊技の面白さ及びその興趣が低下する問題があった。
【０００６】
本発明は、上記の点に鑑みてなされたもので、遊技盤上の遊技領域を圧迫せずに良好に遊技球を入賞動作させる入賞装置を設置して、パチンコ遊技の遊技性を向上させることができるパチンコ遊技機を提供することを目的とする。さらに、本発明は、狭いスペースに設置することができると共に、権利確定用入賞口などの特定の入賞口に適度な確率で遊技球を入賞させることができる入賞装置を提供することを目的とする。
【課題を解決するための手段】
【０００７】
上記目的を達成するために、本発明の請求項１のパチンコ遊技機は、遊技盤上の遊技領域に配置され、図柄を変動表示する図柄変動表示装置と、該図柄変動表示装置の変動図柄が予め決められた図柄に揃って停止したとき開放される入賞装置と、を備えたパチンコ遊技機において、前記入賞装置は縦に細長く形成されると共に、遊技領域内の左側または右側の端部に沿って配設され、該入賞装置内には遊技球を停留させる複数の停留部が階段状に配設されたことを特徴とする。
【０００８】
また、請求項２のパチンコ遊技機は、遊技盤上の遊技領域に配置され、図柄を変動表示する図柄変動表示装置と、該図柄変動表示装置の変動図柄が予め決められた図柄に揃って停止したときに開放される入賞装置と、を備えたパチンコ遊技機において、入賞装置は縦に細長く形成されると共に、遊技領域内の左側または右側の端部に沿って配設され、該入賞装置内には遊技球を停留させる停留部を含む複数の入賞室が階段状に配設されたことを特徴とする。
ここで、上記パチンコ遊技機においては請求項３のように、上記入賞装置内に特定入賞口用停留部が設けられ、該特定入賞口停留部に遊技球が入って停留した後、前記特定入賞口に入賞するように構成することができる。
【０００９】
さらに、請求項４のように、上記入賞装置には停留用ストッパが設けられ、該入賞装置の入賞口の電動羽根が開放状態のとき、該停留用ストッパが作動して遊技球の停留を可能とし、該電動羽根が閉じたとき、該停留用ストッパが非停留状態となって、該停留部の遊技球を排出させ或いは前記特定入賞口に入賞させるように構成することができる。
【００１０】
さらに、請求項５のように、上記遊技領域の側部を装飾するための装飾用ランプを、上記入賞装置と一体に設けることができる。
【００１１】
一方、上記目的を達成する本発明の請求項６の入賞装置は、遊技球を停留させる停留部を有したパチンコ遊技機用の入賞装置において、上部に電動羽根を設けた入賞口が形成され、装置内部に複数の停留部が階段状に配設され、該階段状の停留部の上方に遊技球を振分ける振分け通路が設けられ、該複数の停留部には最下段の停留部として特定入賞口用停留部が設けられ、該特定入賞口停留部の下方に特定入賞口が設けられたことを特徴とする。
【００１２】
さらに、本発明の請求項７の入賞装置は、遊技球を停留させる停留部を有したパチンコ遊技機用の入賞装置において、上部に電動羽根を設けた入賞口が形成され、装置内部に停留部を含む複数の入賞室が階段状に配設され、該階段状の入賞室の上方に遊技球を振分ける振分け通路が設けられ、該複数の入賞室には停留部として特定入賞口用の特定入賞口停留部が設けられ、該特定入賞口停留部の下方または後方に特定入賞口が設けられたことを特徴とする。
【００１３】
ここで、上記入賞装置においては請求項８のように、上記停留部に停留用ストッパが設けられ、上記入賞口の電動羽根が開放状態のとき、該停留用ストッパが作動して遊技球の停留を可能とし、該電動羽根が閉じたとき、該停留用ストッパが非停留状態となって、該停留部の遊技球を排出させ或いは上記特定入賞口に入賞させるように構成することができる。
【発明の効果】
【００１４】
上記請求項１または２のパチンコ遊技機では、入賞装置が縦に細長く形成されると共に、遊技領域内の左側または右側の端部に沿って配設したから、遊技領域の中央に大形の図柄変動表示装置が配置される場合であっても、遊技球が転動する例えば下部の遊技領域を比較的広く確保することができ、遊技領域が圧迫されることを低減し、パチンコゲームの良好なゲーム性を確保することができる。また、入賞装置内部には、複数の停留部が階段状に配置されるため、例えば、最下段の停留部として特定入賞口用停留部を設け、特定入賞口停留部に遊技球が入って停留した後、特定入賞口に入賞するように構成することにより、複数の停留部に遊技球が停留する順番に拘わらず、特定入賞を可能とすることができ、また、その入賞確率は遊技者の不利にならないように設定することができる。
【発明を実施するための最良の形態】
【００１５】
以下、本発明の実施の形態を図面に基づいて説明する。図１はパチンコ遊技機の遊技盤１の正面図を示している。図において、遊技盤１の盤面には、遊技領域３が外レール２ａと内レール２ｂによって区画されて形成され、打球発射装置によって発射された遊技球を遊技領域３内に導き、遊技球を各種の方向に落下させるための多数の釘、風車、各種入賞口が遊技領域内に配設されている。
【００１６】
さらに、遊技盤１の遊技領域３内の中央上部に、図柄変動表示装置４が配置されている。図柄変動表示装置４には、例えばフルカラーの液晶ディスプレイが設けられ、始動入賞時に例えば３列の図柄が上から下に流れるように表示され、予め決められた図柄（例えば「７７７」）に揃って停止したとき、所謂大当り状態とされる。また、遊技領域３の図柄変動表示装置４の下方に、始動入賞を生じさせるための始動入賞ゲート５が配設され、その下方には普通入賞口６が配設されている。
【００１７】
さらに、遊技領域３内の右側に、電動入賞装置７が配設されている。この電動入賞装置７は、大当りが確定したときに動作する装置であり、上部に配置された回転チャッカー８と、その下部に配置された回転体下入賞口１０と、その下方に配置された電動チューリップ（チューリップ形電動入賞器）１１とから構成される。回転チャッカー８は、遊技球を保持する凹部を設けた回転体９を、回転駆動可能に有しており、低速（例えば約６ｒｐｍ）で回転する。回転チャッカー８は、回転体９の凹部が上部位置にあるときに、遊技球がその凹部に入ると、それを１８０度回転移動させ、真下に位置する回転体下入賞口１０に遊技球を導入するように動作する。そして、回転体下入賞口１０に遊技球が入賞すると、その下方に位置する電動チューリップ１１の開閉部材（電動羽根）が所定時間（例えば９．５秒間）、或いは所定数の遊技球がそこに入賞するまで開放される。
【００１８】
一方、遊技盤１の遊技領域３内の左側には、大当りを確定するための入賞装置２０が、内レール２ｂの右側に沿った位置に配設されている。この入賞装置２０は、図２〜図５に示すように、全体が縦型に形成され、内部には入賞した遊技球を停留さるための３つの停留部が設けられると共に、入賞した入賞球の一部を大当り確定用に入賞させるための特定入賞口２６が設けられている。
【００１９】
すなわち、縦型に形成されたこの入賞装置２０の入賞口は上端部に形成され、その入賞口には電動羽根２１が９０度回動して開閉動作するように軸支されている。また、その入賞口の真下には、入賞球を検出するための入賞口検出器３０が配設されている。電動羽根２１にはリンク機構２１ｂが連結され、そのリンク機構２１ｂを駆動する電磁ソレノイド２１ａが入賞装置２０の背面側に取り付けられ、電磁ソレノイド２１ａのプランジャの引き戻し動作により電動羽根２１が開放される。
【００２０】
図５に示すように、入賞装置２０の内部の入賞口から下方にかけて、縦方向に振分け通路２２が入賞球を特定入賞口に導入するか否かを振分けるために、形成される。そして、この振分け通路２２の下側に、遊技球を停留させるための第１停留部２３、第２停留部２４、及び特定入賞口用停留部２５が、階段状に設けられる。これらの停留部は、上下に段違い状に形成され、第１停留部２３が上位置に、第２停留部２４が中間位置に、そして特定入賞口用停留部２５が下位置に配置される。また、第１停留部２３と第２停留部２４は遊技球を下側から受けるように椀形に形成され、特定入賞口用停留部２５は縦通路の一部で特定ストッパ２８ｃにより遊技球を停留させるように形成される。
【００２１】
また、第１停留部２３と第２停留部２４は、その背面側に円形の開口部が形成され、第１、第２ストッパ２８ａ，２８ｂが停留位置にない場合は、その開口部を通して遊技球が排出口２７に排出され、第１、第２ストッパ２８ａ，２８ｂの停留動作により、遊技球を停留位置に停留可能に形成されている。また、特定入賞口用停留部２５の背面側にも、排出口２７に通じる開口部が形成されている。この特定入賞口用停留部２５の背面側の開口部は大きく形成され、この停留部２５に既に遊技球が停留している状態で、さらに遊技球がこの位置に落下した場合、その開口部から排出口に導かれるようにしている。
【００２２】
停留用ストッパ２８は停留部の下側で図５の左右方向に移動可能に配設され、そこには、第１停留部２３に進入可能に第１ストッパ２８ａが設けられ、第２停留部２４に進入可能に第２ストッパ２８ｂが設けられ、さらに、特定入賞口用停留部２５に進入可能に特定ストッパ２８ｃが設けられる。この停留用ストッパ２８は、入賞装置２０の背面側に配設した電磁ソレノイド２８ｄによって停留位置に突き出し動作するように、リンク機構２８ｅに連結され、リンク機構２８ｅは電磁ソレノイド２８ｄのプランジャは連結されている。
【００２３】
特定入賞口停留部２５の下側は、特定入賞口２６に連通しており、特定入賞口停留部２５に遊技球が停留しているとき、停留用ストッパ２８が停留を解除した場合、遊技球はそのまま特定入賞口２６を通過する構造である。そして、特定入賞口２６にはそこを通過する遊技球を検出するための特定入賞口検出器３１が配設されている。入賞装置２０の下部には、図１に示すように、装飾性を高めるために、装飾用ランプ３９が内レールに沿って配置されるように取り付けられている。
【００２４】
パチンコ遊技機の制御部は、図６に示すように、マイクロコンピュータを基本構成要素として構成され、予めＲＯＭ４２に記憶されたプログラムデータに基づき、パチンコゲームの進行に伴う各種処理を実行するＣＰＵ４１、プログラムデータなどの固定データを記憶するＲＯＭ４２、ＣＰＵ４１のワークエリアとして動作し、各種演算のための一時データの記憶エリアとなるＲＡＭ４３、及び入出力回路４４を備えて構成される。
【００２５】
入出力回路４４には、出力装置として、上記の図柄変動表示装置４、電動チューリップ１１、入賞装置２０の電磁ソレノイド２１ａ、２８ｄ、及び装飾用ランプ３９などが接続され、入力装置として、普通入賞口６に入賞した遊技球を検出する普通入賞口検出器３３、入賞装置２０の入賞口に入賞した遊技球を検出する入賞口検出器３０、入賞装置２０の特定入賞口２６に入賞した遊技球を検出する特定入賞口検出器３１、始動入賞ゲート５を通過した遊技球を検出するゲート検出器３２、電動入賞装置７の回転体下入賞口１０に入賞した遊技球を検出する回転体下入賞口検出器３４、及び電動チューリップ１１に入賞した遊技球を検出するチューリップ入賞口検出器３５が接続される。これらの遊技球の検出器としては、近接スイッチ等を使用することができる。
【００２６】
ＣＰＵ４１は、遊技の進行を総括的に制御する機能を有し、遊技球の入賞状況に応じて、図示しない賞球払出装置を制御して払出球の制御を行ない、遊技中に、始動入賞ゲート５に遊技球が入賞すると、図柄変動表示装置４のディスプレイに３列の図柄を変動表示させ、それらの図柄が予め決められた図柄に揃って停止したとき、大当り発生として、左側の入賞装置２０における上部入賞口の電動羽根２１を開放するように制御を行う。
【００２７】
さらに、ＣＰＵ４１は、入賞装置２０内の特定入賞口２６に遊技球が入賞したとき、大当りの権利が確定したと判断し、右側の電動入賞装置７を動作させ、回転チャッカー８の回転体９を低速で回転させ、この回転チャッカー８の動作により、回転体９の凹部に遊技球が保持されて１８０度回転した後、真下の回転体下入賞口１０に遊技球が入賞したとき、電動チューリップ１１を開放して多くの遊技球の入賞を可能とするように制御する。
【００２８】
次に、上記構成のパチンコ遊技機の動作を、入賞装置２０の動きを中心に説明する。ＣＰＵ２０は、遊技中に、遊技球が始動入賞ゲート５に入り、ゲート検出器３２によってそれが検出されると、図柄変動表示装置４のディスプレイに３列の図柄を上から下に流れるように変動表示させる。そして、その変動図柄が予め決められた図柄（例えば「７７７」）に揃って停止したとき、入賞装置２０の上部入賞口の電動羽根２１を開放させる。
【００２９】
この電動羽根２１の開放によって、多くの遊技球が入賞装置２０内に入賞可能な状態となり、入賞した遊技球は、入賞口検出器３０によって普通入賞を検出される。さらに、入賞した遊技球は、縦方向の振分け通路２２を通過して下方に進みながら、３つの停留部に振分けられて停留し、そこで遊技球は、特定入賞口２６に入賞するか、或いはそのまま排出されるかの振分けが行われる。
【００３０】
すなわち、入賞装置２０に入賞した遊技球は、図７に示すように、振分け通路２２を下降しながら、階段状に形成された最上段の第１保留部２３、中間の第２保留部２４、そして最下段の特定入賞口用停留部２５に振分けられるように落下し、第１保留部２３、第２保留部２４、または特定入賞口用停留部２５の何れかに入って停留する。つまり、振分け通路２２内に入った遊技球は通路を落下しながら停留部の端部などに当たって跳ねながら下降し、図８のように、遊技球が第１停留部２３に停留するか、図９のように、遊技球が第２停留部２４に停留するか、図１０のように、遊技球が特定入賞口用停留部２５に停留するか、の何れかに振分けられる。
【００３１】
なお、電動羽根２１が開放動作したとき、停留用ストッパ２８が電磁ソレノイド２８ｄの作動により停留部内に押し出され、第１ストッパ２８ａ、第２ストッパ２８ｂ、特定ストッパ２８ｃが遊技球を停留可能な位置に突出する。
【００３２】
このとき、図８のように、遊技球が例えば第１停留部２３に停留したとする。そしてこの状態で、次の遊技球が入賞装置２０に入賞した場合、図８に示すように、遊技球は第２停留部２４に入って停留するか、或いは特定入賞口用停留部２５に入って停留するかの状態となる。
【００３３】
一方、図９のように遊技球が例えば第２停留部２４に停留し、次の遊技球が入賞装置２０に入賞した場合、図９に示すように、遊技球は第１停留部２３に入って停留するか、或いは特定入賞口用停留部２５に入って停留するかの状態となる。また、図１０のように遊技球が例えば特定入賞口用停留部２５に停留し、次の遊技球が入賞装置２０に入賞した場合、図１０に示すように、遊技球は第１停留部２３に入って停留するか、第２停留部２４に入って停留するか、或いは特定入賞口用停留部２５の背面側の排出口２７から排出される状態となる。このように、入賞装置２０に入賞した遊技球は、最初の遊技球が特定入賞口用停留部２５に停留される場合があり、２番目に入賞した遊技球が特定入賞口用停留部２５に停留される場合もあるのである。
【００３４】
一方、図１１のように遊技球が例えば第１停留部２３と第２停留部２４に停留した状態で、３番目の遊技球が入賞装置２０に入賞した場合、図１１に示すように、遊技球は最下段の特定入賞口用停留部２５に誘導され、その特定入賞口用停留部２５に入って停留することになる。このように、遊技球が第１停留部２３と第２停留部２４に停留した状態となれば、次に入賞した遊技球は高い確率で特定入賞口用停留部２５に誘導されそこに停留される。
【００３５】
このような入賞装置２０の電動羽根２１の開放は、例えば５秒間或いは例えば３個の入賞球が入賞するまで継続され、そしてその時点で閉じられ、この時、停留用ストッパ２８による停留動作が終了して、第１、第２ストッパ２８ａ，２８ｂ、特定ストッパ２８ｃが非停留位置に戻される。これにより、図１２に示すように、第１停留部２３、第２停留部２４に停留していた入賞球は排出口２７から排出され、一方、特定入賞口用停留部２５に停留していた入賞球はその下方の特定入賞口２６に入り、特定入賞口検出器３１によって、それが検出され、大当りの権利が確定する。
【００３６】
このように、特定入賞口用停留部２５に遊技球が停留していた場合には、特定入賞口２６への入賞が生じて、大当りの権利が確定するが、入賞装置２０の入賞口が開放されて所定時間が経過するまでに或いは所定数の遊技球が入賞するまでに特定入賞口用停留部２５に遊技球が停留しない場合は、特定入賞口２６に入賞することができず、偶然性がその入賞に少なからず反映するが、特定入賞口用停留部２５に停留する遊技球がない場合、３個目の入賞球は非常に高い確率で特定入賞口用停留部２５に停留するため、遊技者にとって不利となることはなく、パチンコの良好なゲーム性を楽しむことができる。
【００３７】
そして、遊技球が特定入賞口２６に入賞して大当りの権利が確定すると、右側の電動入賞装置７が作動し、回転チャッカー８の回転体９が低速で回転する。回転チャッカー８の回転体９の凹部が真上に位置したとき、発射された遊技球がその凹部内に入ると、回転体９は凹部に遊技球を保持した状態で１８０度回転し、そのとき、凹部内の遊技球は略真下に落下し、その真下に位置する回転体下入賞口１０に遊技球が入賞する。
【００３８】
この遊技球は回転体下入賞口検出器３４によって検出され、このとき、ＣＰＵ４１はその下方に位置する電動チューリップ１１を開放して多くの遊技球の入賞を可能とするように制御する。電動チューリップ１１は所定時間（例えば９．５秒）或いは１０個の入賞球が入るまで継続して開放され、その時点で１ラウンドが終了し、例えば最大１６ラウンドまで上記の動作が繰り返される。
【００３９】
つまり、各ラウンドが終了すると、再び電動入賞装置７の回転チャッカー８が動作して、回転体９が低速で回転し、回転体９の凹部に遊技球が入ると、１８０度回転したときに、遊技体が真下の回転体下入賞口１０に入って入賞し、それが回転体下入賞口検出器３４により検出されると、電動チューリップ１１が所定時間或いは１０個の入賞球が入るまで開放され、多くの遊技球が入賞可能な状態となる大当り状態が継続することになる。
【００４０】
なお、上記実施形態の入賞装置２０内には停留部を階段状に３個設けたが、同様な階段状に２個或いは４個設けることもできる。また、入賞装置内に複数の停留部を設ける代わりに、入賞球が通過する複数の入賞室を階段状に設け、その入賞室の一部に停留部を形成することもできる。また、上記実施形態では、入賞装置２０を大当りの権利確定用の装置として使用したが、通常の入賞口として使用することもできる。また、上記入賞装置２０は遊技領域内の左側の端部に沿って配設したが、右側の端部に配設することもできる。その場合、電動入賞装置７は遊技領域の左側などに配置すれば良い。
【００４１】
以上説明したように、本発明のパチンコ遊技機によれば、入賞装置が縦型で細長く形成されるため、例えば遊技盤の遊技領域における向かって左側の狭い空間つまり内レールに沿った縦長の細長い空間に入賞装置を配置することができ、大形のディスプレイを有する図柄変動表示装置が遊技盤の中央に配置された場合であっても、従来の横長で大形の入賞装置に比べ、遊技領域を圧迫することがなく、充分な広さの遊技領域（遊技球が転動する領域）を確保して、遊技球が広い範囲で転動し得る良好なパチンコゲームを行うことができる。
【００４２】
また、本入賞装置によれば、遊技球を停留する停留部が階段状に設けられるため、入賞装置全体の形状を縦型につまり縦長に細く形成することができ、さらに、装置内に設けた特定入賞口には、入賞順序に拘わりなく、１番目、２番目を含め全ての入賞球に特定入賞口への入賞が可能となり、階段状の停留部の全てに遊技球が停留した状態では、ほぼ確実に特定入賞が得られるため、遊技者は充分にパチンコゲームを楽しむことができる。
【図面の簡単な説明】
【００４３】
【図１】本発明の一実施形態を示すパチンコ遊技機の遊技盤の正面図である。
【図２】遊技盤上の入賞装置２０の斜視図である。
【図３】同入賞装置２０の背面側からの斜視図である。
【図４】入賞装置２０の右側面図である。
【図５】図４のV-V断面図である。
【図６】パチンコ遊技機の制御系のブロック図である。
【図７】入賞装置２０の電動羽根が開いて遊技球が入賞する際の動きを示す断面図である。
【図８】第１停留部に遊技球が停留したときの遊技球の動きを示す断面図である。
【図９】第２停留部に遊技球が停留したときの遊技球の動きを示す断面図である。
【図１０】特定入賞口用停留部に遊技球が停留したときの遊技球の動きを示す断面図である。
【図１１】第１停留部及び第２停留部に遊技球が停留したときの遊技球の動きを示す断面図である。
【図１２】電動羽根が閉じて停留用ストッパが非停留側に動作したときの遊技球の動きを示す断面図である。
【符号の説明】
【００４４】
１−遊技盤
３−遊技領域
４−図柄変動表示装置
７−電動入賞装置
２０−入賞装置
２１−電動羽根
２２−振分け通路
２３−第１停留部
２４−第２停留部
２５−特定入賞口用停留部
２６−特定入賞口
２７−排出口
２８−停留用ストッパ
【図１】
2005065926.tif 000003
【図２】
2005065926.tif 000004
【図３】
2005065926.tif 000005
【図４】
2005065926.tif 000006
【図５】
2005065926.tif 000007
【図６】
2005065926.tif 000008
【図７】
2005065926.tif 000009
【図８】
2005065926.tif 000010
【図９】
2005065926.tif 000011
【図１０】
2005065926.tif 000012
【図１１】
2005065926.tif 000013
【図１２】
2005065926.tif 000014